(57)【要約】【課題】初期化に要する時間が短縮された画像表示媒体の駆動装置および画像表示装置、並びに画像表示媒体の初期化プログラムを提供する。【解決手段】一対の基板と、その一方に配される共通電極と、他方の基板に配列する画素電極と、前記基板間に封入された分散媒に移動粒子群が分散されてなる表示層と、前記画素電極に印加される電圧を画素ごとに制御するトランジスタ１２と、を有する画像表示媒体２に画像を書き込む際および初期化する際に、トランジスタ１２にソース電圧を全画素または列ごとに一括して印加し得る第１電圧印加手段６、およびゲート電圧を行ごとに順に選択して印加し得る第２電圧印加手段８、これらを制御する制御手段１０を含み、画像表示媒体２を初期化する際に、全画素一括してソース電圧を印加した状態で、全画素一括してゲート電圧を印加する画像表示媒体の駆動装置、および画像表示装置、並びに画像表示媒体の初期化プログラムである。【選択図】図１
2010078902.tif 000002
【特許請求の範囲】
【請求項１】
間隙をもって対向する一対の基板と、該一対の基板の一方の全面に配される共通電極と、他方の基板に行および列を成す画素ごとに配列する画素電極と、電界により前記一対の基板間を移動する移動粒子群が該基板間に封入された分散媒に分散されてなる表示層と、前記画素電極に接続され印加される電圧を画素ごとに制御するトランジスタと、を有する画像表示媒体に画像を書き込む際および初期化する際に、前記トランジスタのソース電極に電圧を全画素または列ごとに一括して印加し得る第１電圧印加手段、および前記トランジスタのゲート電極に電圧を行ごとに順に選択して印加し得る第２電圧印加手段、並びに前記第１電圧印加手段および前記第２電圧印加手段による印加電圧を制御する制御手段を含み、
前記画像表示媒体を初期化する際に、前記第１電圧印加手段により全画素一括して前記トランジスタのソース電極に電圧を印加した状態で、前記第２電圧印加手段により全画素一括して前記トランジスタのゲート電極に電圧を印加するべく、前記制御手段が制御するように構成されてなることを特徴とする画像表示媒体の駆動装置。
【請求項２】
前記画像表示媒体を初期化する際に前記トランジスタのソース電極に印加される電圧の位相が相互にずれた波形となる複数の画素群に分かれるように、前記制御手段が前記第１電圧印加手段を制御することを特徴とする請求項１に記載の画像表示媒体の駆動装置。
【請求項３】
前記画像表示媒体を初期化する際に前記トランジスタのソース電極に印加される電圧の位相が相互に反転した波形となる複数の画素群に分かれ、かつ該複数の画素群にそれぞれ属する画素が混在するように、前記制御手段が前記第１電圧印加手段を制御することを特徴とする請求項１に記載の画像表示媒体の駆動装置。
【請求項４】
前記画像表示媒体における前記移動粒子群が、互いに色が異なるとともに前記基板からの離脱に要する力も異なる複数種類の粒子群からなり、
前記画像表示媒体を初期化する際に前記トランジスタのソース電極に印加される電圧の位相が相互にずれた波形となる複数の画素群に分かれ、かつ該複数の画素群にそれぞれ属する画素が混在するように、前記制御手段が前記第１電圧印加手段を制御することを特徴とする請求項１に記載の画像表示媒体の駆動装置。
【請求項５】
前記画像表示媒体を初期化する際に前記トランジスタのソース電極に印加される電圧の波形が、各パルスの立ち上がりに勾配を持たせた形状となるように制御されることを特徴とする請求項１に記載の画像表示媒体の駆動装置。
【請求項６】
前記第１電圧印加手段により全画素または列ごとに一括して前記トランジスタのソース電極に電圧を印加した状態で、前記第２電圧印加手段により画素ごとに選択して前記トランジスタのゲート電極に電圧を印加する画像書き込みの制御に先立ち、全画素一括して前記トランジスタのゲート電極に電圧を印加する初期化の制御が為されるように、前記制御手段が構成されてなることを特徴とする請求項１に記載の画像表示媒体の駆動装置。
【請求項７】
間隙をもって対向する一対の基板と、該一対の基板の一方の全面に配される共通電極と、他方の基板に行および列を成す画素ごとに配列する画素電極と、電界により前記一対の基板間を移動する移動粒子群が該基板間に封入された分散媒に分散されてなる表示層と、前記画素電極に接続され印加される電圧を画素ごとに制御するトランジスタと、を有する画像表示媒体、
該画像表示媒体に画像を書き込む際および初期化する際に、前記トランジスタのソース電極に電圧を全画素または列ごとに一括して印加し得る第１電圧印加手段、および前記トランジスタのゲート電極に電圧を行ごとに順に選択して印加し得る第２電圧印加手段、
並びに、前記第１電圧印加手段および前記第２電圧印加手段による印加電圧を制御する制御手段を含み、
前記画像表示媒体を初期化する際に、前記第１電圧印加手段により全画素一括して前記トランジスタのソース電極に電圧を印加した状態で、前記第２電圧印加手段により全画素一括して前記トランジスタのゲート電極に電圧を印加するべく、前記制御手段が制御するように構成されてなることを特徴とする画像表示装置。
【請求項８】
前記画像表示媒体を初期化する際に前記トランジスタのソース電極に印加される電圧の位相が相互にずれた波形となる複数の画素群に分かれるように、前記制御手段が前記第１電圧印加手段を制御することを特徴とする請求項７に記載の画像表示装置。
【請求項９】
前記画像表示媒体を初期化する際に前記トランジスタのソース電極に印加される電圧の位相が相互に反転した波形となる複数の画素群に分かれ、かつ該複数の画素群にそれぞれ属する画素が混在するように、前記制御手段が前記第１電圧印加手段を制御することを特徴とする請求項７に記載の画像表示装置。
【請求項１０】
前記画像表示媒体における前記移動粒子群が、互いに色が異なるとともに前記基板からの離脱に要する力も異なる複数種類の粒子群からなり、
前記画像表示媒体を初期化する際に前記トランジスタのソース電極に印加される電圧の位相が相互にずれた波形となる複数の画素群に分かれ、かつ該複数の画素群にそれぞれ属する画素が混在するように、前記制御手段が前記第１電圧印加手段を制御することを特徴とする請求項７に記載の画像表示装置。
【請求項１１】
前記画像表示媒体を初期化する際に前記トランジスタのソース電極に印加される電圧の波形が、各パルスの立ち上がりに勾配を持たせた形状となるように制御されることを特徴とする請求項７に記載の画像表示装置。
【請求項１２】
前記第１電圧印加手段により全画素または列ごとに一括して前記トランジスタのソース電極に電圧を印加した状態で、前記第２電圧印加手段により画素ごとに選択して前記トランジスタのゲート電極に電圧を印加する画像書き込みの制御に先立ち、全画素一括して前記トランジスタのゲート電極に電圧を印加する初期化の制御が為されるように、前記制御手段が構成されてなることを特徴とする請求項７に記載の画像表示装置。
【請求項１３】
間隙をもって対向する一対の基板と、該一対の基板の一方の全面に配される共通電極と、他方の基板に行および列を成す画素ごとに配列する画素電極と、電界により前記一対の基板間を移動する移動粒子群が該基板間に封入された分散媒に分散されてなる表示層と、前記画素電極に接続され印加される電圧を画素ごとに制御するトランジスタと、を有する画像表示媒体に対して、
全画素一括して前記トランジスタのソース電極に電圧を印加する手順と、
該手順による電圧印加を継続したまま、全画素一括して前記トランジスタのゲート電極に電圧を印加する手順と、
をコンピュータに実行させるための画像表示媒体の初期化プログラム。
【発明の詳細な説明】
【技術分野】
【０００１】
本発明は、画像表示媒体の駆動装置、および画像表示装置、並びに画像表示媒体の初期化プログラムに関する。
【背景技術】
【０００２】
従来、メモリー性を有し繰り返し書き換えが可能な画像表示媒体として、着色粒子を用いた電気泳動方式の画像表示媒体が知られている。このような画像表示媒体は、例えば一対の基板と、印加された電界により基板間を移動可能に基板間に封入されると共に、色及び帯電特性が異なる複数種類の粒子群と、を含んで構成される。また、基板間には、基板間を複数のセルに仕切るための間隙部材が設けられる場合もある。
【０００３】
このような画像表示媒体では、画像に応じた電圧を一対の基板間に印加することにより粒子を移動させ、異なる色の粒子のコントラストとして画像を表示させる。なお、電圧の印加を停止した後も、ファンデルワース力や鏡像力によって粒子は基板に付着したままとなり、画像表示が維持される。
このような構成の画像表示媒体において、色表示性を向上させる目的で、粒子による色表示の他に、着色させた背面基板を用い、当該背面基板の色を表示することが提案されている（特許文献１および２参照）。
【０００４】
また、特許文献３には、表示基板と背面基板との間の分散媒中に、表示基板及び背面基板に対する付着力、すなわち移動を開始する電界強度の異なる複数種類の粒子群を封入し、各粒子群の種類に応じて、各種類の粒子群が移動を開始する電界強度の電界を形成することで、選択的に所望の粒子を移動させる技術が提案されている。
【０００５】
このような電気泳動方式の画像表示媒体において、粒子群の移動を制御する電界を形成する手法として、一対の基板の一方の全面に共通電極を配し、他方の基板に画素ごとに画素電極を配列するとともに、前記画素電極にＴＦＴ（thin film transistor）等のトランジスタを接続するアクティブマトリクス方式が挙げられる（特許文献４および５参照）。アクティブマトリクス方式においては、ＴＦＴのゲート電圧を行ごとに走査してスイッチング（ＯＮ／ＯＦＦ制御）することで画素電極に印加されるソース電圧を制御して、所望の画像が形成される。
【０００６】
アクティブマトリクス方式の画像表示媒体においては、書き込まれた画像を消去するなど画像をリセット（初期化）する場合には、一定のソース電圧が各画素に印加されるように、ゲート電圧を行ごとに走査して順次ＯＮにすることで、好ましくは一様な単一色画像を形成している（特許文献６参照）。
【０００７】
【特許文献１】特開平０１−２６７５２５号公報
【特許文献２】特開２００１−３１２２２５号公報
【特許文献３】特開２００４−０８６０９５号公報
【特許文献４】特開２００７−１６３９８７号公報
【特許文献５】特開２００６−２２７２４９号公報
【特許文献６】特開２００２−１１６７３４号公報
【発明の開示】
【発明が解決しようとする課題】
【０００８】
本発明は、初期化に要する時間が短縮された画像表示媒体の駆動装置および画像表示装置、並びに画像表示媒体の初期化プログラムを提供することを目的とする。
【課題を解決するための手段】
【０００９】
上記目的は、以下の本発明により達成される。すなわち、本発明は以下に列挙する＜１＞〜＜１２＞の発明である。
＜１＞  間隙をもって対向する一対の基板と、該一対の基板の一方の全面に配される共通電極と、他方の基板に行および列を成す画素ごとに配列する画素電極と、電界により前記一対の基板間を移動する移動粒子群が該基板間に封入された分散媒に分散されてなる表示層と、前記画素電極に接続され印加される電圧を画素ごとに制御するトランジスタと、を有する画像表示媒体に画像を書き込む際および初期化する際に、前記トランジスタのソース電極に電圧を全画素または列ごとに一括して印加し得る第１電圧印加手段、および前記トランジスタのゲート電極に電圧を行ごとに順に選択して印加し得る第２電圧印加手段、並びに前記第１電圧印加手段および前記第２電圧印加手段による印加電圧を制御する制御手段を含み、
前記画像表示媒体を初期化する際に、前記第１電圧印加手段により全画素一括して前記トランジスタのソース電極に電圧を印加した状態で、前記第２電圧印加手段により全画素一括して前記トランジスタのゲート電極に電圧を印加するべく、前記制御手段が制御するように構成されてなることを特徴とする画像表示媒体の駆動装置。
【００１０】
＜２＞  前記画像表示媒体を初期化する際に前記トランジスタのソース電極に印加される電圧の位相が相互にずれた波形となる複数の画素群に分かれるように、前記制御手段が前記第１電圧印加手段を制御することを特徴とする＜１＞に記載の画像表示媒体の駆動装置。
【００１１】
＜３＞  前記画像表示媒体を初期化する際に前記トランジスタのソース電極に印加される電圧の位相が相互に反転した波形となる複数の画素群に分かれ、かつ該複数の画素群にそれぞれ属する画素が混在するように、前記制御手段が前記第１電圧印加手段を制御することを特徴とする＜１＞に記載の画像表示媒体の駆動装置。
【００１２】
＜４＞  前記画像表示媒体における前記移動粒子群が、互いに色が異なるとともに前記基板からの離脱に要する力も異なる複数種類の粒子群からなり、
前記画像表示媒体を初期化する際に前記トランジスタのソース電極に印加される電圧の位相が相互にずれた波形となる複数の画素群に分かれ、かつ該複数の画素群にそれぞれ属する画素が混在するように、前記制御手段が前記第１電圧印加手段を制御することを特徴とする＜１＞に記載の画像表示媒体の駆動装置。
【００１３】
＜５＞  前記画像表示媒体を初期化する際に前記トランジスタのソース電極に印加される電圧の波形が、各パルスの立ち上がりに勾配を持たせた形状となるように制御されることを特徴とする＜１＞に記載の画像表示媒体の駆動装置。
【００１４】
＜６＞  前記第１電圧印加手段により全画素または列ごとに一括して前記トランジスタのソース電極に電圧を印加した状態で、前記第２電圧印加手段により画素ごとに選択して前記トランジスタのゲート電極に電圧を印加する画像書き込みの制御に先立ち、全画素一括して前記トランジスタのゲート電極に電圧を印加する初期化の制御が為されるように、前記制御手段が構成されてなることを特徴とする＜１＞に記載の画像表示媒体の駆動装置。
【００１５】
＜７＞  間隙をもって対向する一対の基板と、該一対の基板の一方の全面に配される共通電極と、他方の基板に行および列を成す画素ごとに配列する画素電極と、電界により前記一対の基板間を移動する移動粒子群が該基板間に封入された分散媒に分散されてなる表示層と、前記画素電極に接続され印加される電圧を画素ごとに制御するトランジスタと、を有する画像表示媒体、
該画像表示媒体に画像を書き込む際および初期化する際に、前記トランジスタのソース電極に電圧を全画素または列ごとに一括して印加し得る第１電圧印加手段、および前記トランジスタのゲート電極に電圧を行ごとに順に選択して印加し得る第２電圧印加手段、
並びに、前記第１電圧印加手段および前記第２電圧印加手段による印加電圧を制御する制御手段を含み、
前記画像表示媒体を初期化する際に、前記第１電圧印加手段により全画素一括して前記トランジスタのソース電極に電圧を印加した状態で、前記第２電圧印加手段により全画素一括して前記トランジスタのゲート電極に電圧を印加するべく、前記制御手段が制御するように構成されてなることを特徴とする画像表示装置。
【００１６】
＜８＞  前記画像表示媒体を初期化する際に前記トランジスタのソース電極に印加される電圧の位相が相互にずれた波形となる複数の画素群に分かれるように、前記制御手段が前記第１電圧印加手段を制御することを特徴とする＜７＞に記載の画像表示装置。
【００１７】
＜９＞  前記画像表示媒体を初期化する際に前記トランジスタのソース電極に印加される電圧の位相が相互に反転した波形となる複数の画素群に分かれ、かつ該複数の画素群にそれぞれ属する画素が混在するように、前記制御手段が前記第１電圧印加手段を制御することを特徴とする＜７＞に記載の画像表示装置。
【００１８】
＜１０＞  前記画像表示媒体における前記移動粒子群が、互いに色が異なるとともに前記基板からの離脱に要する力も異なる複数種類の粒子群からなり、
前記画像表示媒体を初期化する際に前記トランジスタのソース電極に印加される電圧の位相が相互にずれた波形となる複数の画素群に分かれ、かつ該複数の画素群にそれぞれ属する画素が混在するように、前記制御手段が前記第１電圧印加手段を制御することを特徴とする＜７＞に記載の画像表示装置。
【００１９】
＜１１＞  前記画像表示媒体を初期化する際に前記トランジスタのソース電極に印加される電圧の波形が、各パルスの立ち上がりに勾配を持たせた形状となるように制御されることを特徴とする＜７＞に記載の画像表示装置。
【００２０】
＜１２＞  前記第１電圧印加手段により全画素または列ごとに一括して前記トランジスタのソース電極に電圧を印加した状態で、前記第２電圧印加手段により画素ごとに選択して前記トランジスタのゲート電極に電圧を印加する画像書き込みの制御に先立ち、全画素一括して前記トランジスタのゲート電極に電圧を印加する初期化の制御が為されるように、前記制御手段が構成されてなることを特徴とする＜７＞に記載の画像表示装置。
【００２１】
＜１３＞  間隙をもって対向する一対の基板と、該一対の基板の一方の全面に配される共通電極と、他方の基板に行および列を成す画素ごとに配列する画素電極と、電界により前記一対の基板間を移動する移動粒子群が該基板間に封入された分散媒に分散されてなる表示層と、前記画素電極に接続され印加される電圧を画素ごとに制御するトランジスタと、を有する画像表示媒体に対して、
全画素一括して前記トランジスタのソース電極に電圧を印加する手順と、
該手順による電圧印加を継続したまま、全画素一括して前記トランジスタのゲート電極に電圧を印加する手順と、
をコンピュータに実行させるための画像表示媒体の初期化プログラム。
【発明の効果】
【００２２】
＜１＞の発明によれば、画素ごとに順次走査して前記トランジスタのゲート電極に電圧（以下、「ゲート電圧」と称する。）を印加する場合に比べて、初期化に要する時間を短縮することができる。
【００２３】
＜２＞の発明によれば、ソース電圧の位相が画素ごとに一致している場合に比べて、電流値の瞬間的な上昇を抑制することができる。
【００２４】
＜３＞の発明によれば、ソース電圧の位相が画素ごとに一致している場合に比べて、初期化の動作時における表示画像のフリッカを抑制することができる。
【００２５】
＜４＞の発明によれば、多色画像が表示できる画像表示媒体において、ソース電圧の位相が画素ごとに一致している場合に比べて、初期化の動作時における表示画像のフリッカを抑制することができる。
【００２６】
＜５＞の発明によれば、前記トランジスタのソース電極に電圧（以下、「ソース電圧」と称する。）として完全な矩形波パルスを印加する場合に比べて、電流値の瞬間的な上昇を抑制することができる。
【００２７】
＜６＞の発明によれば、書き込みの前に初期化を実行することができる。
【００２８】
＜７＞の発明によれば、画素ごとに順次走査してゲート電圧を印加する場合に比べて、初期化に要する時間を短縮することができる。
【００２９】
＜８＞の発明によれば、ソース電圧の位相が画素ごとに一致している場合に比べて、電流値の瞬間的な上昇を抑制することができる。
【００３０】
＜９＞の発明によれば、ソース電圧の位相が画素ごとに一致している場合に比べて、初期化の動作時における表示画像のフリッカを抑制することができる。
【００３１】
＜１０＞の発明によれば、多色画像が表示できる画像表示媒体において、ソース電圧の位相が画素ごとに一致している場合に比べて、初期化の動作時における表示画像のフリッカを抑制することができる。
【００３２】
＜１１＞の発明によれば、ソース電圧として完全な矩形波パルスを印加する場合に比べて、電流値の瞬間的な上昇を抑制することができる。
【００３３】
＜１２＞の発明によれば、書き込みの前に初期化を実行することができる。
【００３４】
＜１３＞の発明によれば、画素ごとに順次走査してゲート電圧を印加するプログラムに比べて、初期化に要する時間を短縮することができる。
【発明を実施するための最良の形態】
【００３５】
以下、本発明について図面を参照しつつ詳細に説明する。
図１は、本発明の画像表示媒体の駆動装置（以下、単に「本発明の駆動装置」という場合がある。）を含む本発明の例示的一態様である実施形態の画像表示装置の概略構成図である。図１においては、１つの画素のＴＦＴを選択している様子を模式的に表している。本実施形態の画像表示装置は、図１に示されるように、画像表示媒体２およびこれを駆動する駆動装置４から構成される。
【００３６】
＜画像表示媒体＞
画像表示媒体２は、図１においては平面図の状態で模式的に表されているが、その断面図は図２のように構成されている。ここで図２は、図１に示される画像表示媒体２の初期化状態における模式断面図である。なお、図２において、画像表示媒体２は、その構成をわかりやすく説明するために、５つの画素のみを抜き出して描かれているが、実際にはより多数の画素が行および列を成して碁盤目状に配列されてなるものである。
【００３７】
画像表示媒体２は、図２に示されように、一対の基板（背面基板１６，表示基板１８）間に電気泳動を担う粒子（移動粒子）を含む表示層３０が挟持されてなる。図２においては、画像表示媒体２の構成をわかりやすく説明するために、各構成要素の実際の大きさの比を反映しておらず、特に移動粒子や基板間距離（背面基板１６と表示基板１８との間隙）が大幅に拡大されて描かれているが、実際には、各画素に対して移動粒子や基板間距離は図示された大きさよりも遥かに小さい。
【００３８】
表示層３０は、正に帯電された黒色粒子（移動粒子）２０Ｋ、負に帯電された赤色粒子（移動粒子）３２Ｒ、および、これら粒子よりも大きな粒径で、かつ負に帯電された大径白色粒子（移動粒子）２２Ｗが、透光性を有する分散液（分散媒）２６に分散され、が封入されてなるものである。背面基板１６および表示基板１８の端部の４辺はスペーサー２８で封止され、前記全粒子を含む分散液２６が内部に密封されている。
【００３９】
なお、大径白色粒子２２Ｗおよび赤色粒子２０Ｒは共に負に帯電された粒子ではあるが、大径白色粒子２２Ｗは赤色粒子２０Ｒに比して基板からの離脱に要する力が大きく、大径白色粒子２２Ｗを基板間で移動させるには、赤色粒子２０Ｒよりも大きな電圧の印加が必要になる。また、黒色粒子２０Ｋと赤色粒子２０Ｒとでは正負異なる極性に帯電された粒子ではあるが、黒色粒子２０Ｋは赤色粒子２０Ｒに比して基板からの離脱に要する力が大きく、黒色粒子２０Ｋを基板間で移動させるには、赤色粒子２０Ｒよりも絶対値として大きな電圧の印加が必要になる。ただし、黒色粒子２０Ｋは大径白色粒子２２Ｗと比すれば基板からの離脱に要する力が小さく、大径白色粒子２２Ｗを基板間で移動させるには、黒色粒子２０Ｋよりも絶対値として大きな電圧の印加が必要になる。
【００４０】
黒色粒子２０Ｋとしては、カーボンブラック、マンガンフェライトブラック、チタンブラック等の黒色顔料粒子を使用することができ、赤色粒子２０Ｒとしては、キナクリドンレッド、カドミウムレッド、レーキレッド等の赤色顔料粒子を使用することができる。また、大径白色粒子２２Ｗとしては、例えば、酸化チタンや酸化ケイ素、酸化亜鉛などの白色顔料を、ポリスチレンやポリエチレン、ポリプロピレン、ポリカーボネート、ポリメチルメタクリレート（ＰＭＭＡ）、アクリル樹脂、フェノール樹脂、ホルムアルデヒド縮合物などに分散した粒子を使用することができる。また、着色部材を構成する粒子として、白色以外の粒子を適用する場合、例えば、所望の色の顔料、あるいは染料を内包した前記したような樹脂粒子を使用することができる。顔料や染料は、例えばＲＧＢやＹＭＣ色であれば、印刷インキやカラートナーに使用されている一般的な顔料あるいは染料を使用することができる。
【００４１】
黒色粒子２０Ｋおよび赤色粒子２０Ｒなどの移動粒子は、その体積平均粒径が、一般的には、０．０１〜１０μｍであり、好ましくは０．０３〜３μｍであるが、これに限定されない。移動粒子の体積平均粒径が上記範囲より小さいと、移動粒子の帯電量が小さくなり、透明液体中を移動する速度が遅くなることがある。つまり表示応答性が極端に低下することがある。反対に移動粒子の体積平均粒径が上記範囲より大きいと、追随性はよいが、自重による沈殿やメモリ性の低下が発生しやすくなることがある。また、後述するように大径白色粒子２２Ｗは更にその一桁以上径が大きい粒子が必要となるため、表示基板１８と背面基板１６との間隙を大きくしなければならず、表示応答性の低下や粒子を移動させるための駆動電圧が高くなってしまうことがある。
【００４２】
大径白色粒子２２Ｗは、黒色粒子２０Ｋおよび赤色粒子２０Ｒよりも大きい粒径のものが適用され、大径白色粒子２２Ｗの粒子間間隙を通じでこれら小径の粒子が移動可能であることが求められることから、黒色粒子２０Ｋおよび赤色粒子２０Ｒよりも１０倍以上大きい粒径のものを適用することが好適である。また、黒色粒子２０Ｋや赤色粒子２０Ｒの径にばらつきがあり、大きめの粒子が含まれるような場合、２０倍以上の大きさであった方が、これら粒子が大径白色粒子２２Ｗ間に詰まることがなくなり、表示性能が安定する。但し、大径白色粒子２２Ｗも基板間を移動する移動粒子であるため、基板間距離よりも十分に小さい粒径とする必要があり、基板間距離の１／５以下であることが好ましい。
【００４３】
大径白色粒子２２Ｗの粒径が小さすぎると黒色粒子２０Ｋおよび赤色粒子２０Ｒが移動可能な粒子間隙を十分に確保できない場合があり、大きすぎると基板間隙を大きくする必要が生じ、高電圧化や表示速度低下が生じることがある。なお、大径白色粒子２２Ｗの体積平均粒径が１０μｍ程度の場合、体積平均粒径数十ｎｍの小径の移動粒子は大径白色粒子２２Ｗの間隙を通じて移動可能である。
【００４４】
本実施形態では、黒色粒子２０Ｋおよび赤色粒子２０Ｒとして体積平均粒径０．０５μｍのものを適用し、大径白色粒子２２Ｗとして体積平均粒径１０μｍのものを適用している。
【００４５】
透光性を有する分散液２６としては、高絶縁性の無色透明な液体が好ましく、例えばイソパラフィン、シリコーン、トルエン、キシレン、ノルマルパラフィン等の各種溶媒を使用することができる。
【００４６】
表示層３０の厚さ、すなわち基板間距離（背面基板１６と表示基板１８との間隙）としては、大径白色粒子２２Ｗの径より大きいことを条件として、３０μｍ〜３００μｍの範囲から選択され、４０μｍ〜６０μｍの範囲であることが好ましい。
【００４７】
背面基板１６および表示基板１８は、表示層を内面に保持し、画像表示媒体２の構造を維持する目的の部材である。これら基板は、外力に耐える強度を有するシート形状の物体であり、具体的な材料としては、無機シート（たとえばガラス・シリコン）、高分子フィルム（たとえばポリエチレンテレフタレート、ポリスルホン、ポリエーテルスルホン、ポリカーボネート、ポリエチレンナフタレート）等を挙げることができる。なお、少なくとも表示面側の表示基板１８は光を透過する機能を有する。その外表面に、防汚膜、耐磨耗膜、光反射防止膜、ガスバリア膜など公知の機能性膜を形成してもよい。
【００４８】
表示基板１８には、その全面に共通電極２４が配される。また、背面基板１６には、画素ごとに画素電極１４が配列される。これら電極としては、具体的には、金属（たとえば金、銀、銅、鉄、アルミニウム）、金属酸化物（たとえば酸化インジウム、酸化スズ、酸化インジウムスズ（ＩＴＯ））、炭素、これらを高分子中に分散させた複合体、導電性有機高分子（たとえばポリチオフェン系・ポリアニリン系）などで形成された導電性薄膜を挙げることができる。表面に、密着力改善膜、光反射防止膜、ガスバリア膜など公知の機能性膜を形成してもよい。
【００４９】
スペーサー２８は、既述の封止材としての機能とともに、背面基板１６および表示基板１８の間隙を一定に保つスペーサーとしての機能も兼ね備えている。材質は特に制限は無く、背面基板１６や表示基板１８と同一でもよいし、異なるものを用いても構わない。
【００５０】
個々の画素電極１４に対応して、それぞれＴＦＴ（薄膜トランジスタ）１２が配され、ソース電極が接続されている。ＴＦＴ１２としては、所望とするスペックに合わせて適宜最適なものを選択すればよい。なお、本発明においてはＴＦＴに限定されず、各種トランジスタを使用することができるが、薄膜の電界効果トランジスタ（ＦＥＴ）がスイッチング素子として好適である。
【００５１】
＜駆動装置＞
本発明の駆動装置である駆動装置４は、画像表示媒体２に含まれる個々のＴＦＴ１２にソース電圧を印加するソースドライバＩＣ（第１電圧印加手段）６と、ゲート電圧を印加するゲートドライバＩＣ（第２電圧印加手段）８と、これらドライバＩＣを制御する制御装置（制御手段）１０とから構成されてなる。
【００５２】
ソースドライバＩＣ６は、ＴＦＴ１２にソース電圧を全画素または列ごとに一括して印加するように構成されている。ただし、本発明において「一括して」とは、ソース電圧を印加するタイミングが同時であることを意味するものであり、電圧の波形や位相を全画素で同一にするという意味は含まない。実際、後述する実施形態においては、画素ごとに位相をずらした態様を例示している。
【００５３】
ゲートドライバＩＣ８は、ＴＦＴ１２にゲート電圧を行ごとに順に選択して（すなわち走査して）印加し得るように構成されている。ただし、全画素同時にゲート電圧をＯＮ／ＯＦＦ制御することもできるようになっている。なお、図１中の矢印Ａは、ゲート電圧を走査して印加している様子を模式的に表すものである。
【００５４】
そして、制御装置１０は、ソースドライバＩＣ６から印加されるソース電圧の波形や、ゲートドライバＩＣ８から印加されるゲート電圧のＯＮ／ＯＦＦ制御を行っている。これらの制御により、画素電極１４に印加されるソース電圧が画素ごとに制御され、画像書き込み時には所望の表示画像が書き込まれる。実際の制御については、＜画像の書き込み時の駆動＞および＜画像表示媒体の初期化時の駆動＞の項で詳述する。
【００５５】
＜画像の書き込み時の駆動＞
図１に示す画像表示装置における画像の書き込み時の駆動の制御について説明する。
【００５６】
図２に示される画像表示媒体２の状態は、黒色粒子２０Ｋが表示基板１８側に全面吸着し、他の粒子が背面基板１６側に吸着しているため、表示面側（表示基板１８の側）から見たとき黒色粒子２０Ｋによる全面黒色表示になっている。本実施形態において、画像表示媒体２は、この黒色表示の状態が、初期化状態である。
【００５７】
なお、本発明において「初期化」とは、黒色に限定されず、全面単一色で一様な表示画像になった状態をいい、本実施形態で用いている画像表示媒体２でいえば、黒色の他赤色や白色、さらにはそれらの中間色であっても、全面単一色で一様な表示画像にしようとする行為は「初期化」の概念に含まれる。
【００５８】
この初期化のための動作が本発明に特徴的であり、その態様については、後の＜画像表示媒体の初期化時の駆動＞にて詳述する。
【００５９】
次に、各色の全面単一色表示画像を得る際の駆動操作について簡単に説明する。
【００６０】
（赤色表示）
共通電極２４側が負で画素電極１４側が正になるようにソースドライバＩＣ６を制御してソース電圧を一括してＴＦＴ１２に印加し、ゲートドライバＩＣ８で走査してゲート電圧を印加し、全画素のＴＦＴ１２を順次ＯＮ状態にする。このとき各画素に印加される駆動電圧は、赤色粒子２０Ｒを表示基板１８に、黒色粒子２０Ｋを背面基板１６に、それぞれ移動させるのに十分であり、かつ、大径白色粒子２２Ｗを表示基板１８に移動させることはできない大きさとする。
【００６１】
これにより、図３に示すように、赤色粒子２０Ｒが表示基板１８側に全面吸着し、他の粒子が背面基板１６側に吸着している状態になって、表示面側（表示基板１８の側）から見たとき赤色粒子２０Ｒによる全面赤色表示になる。ここで図３は、図１に示される画像表示媒体の全面赤色表示における模式断面図である。
【００６２】
なお、一定の大きさの直流の駆動電圧が印加されても、移動粒子が基板面にとどまり十分に移動しない場合があるため、ソース電圧としては、移動粒子を基板面から離脱させるべく移動すべき粒子が移動するのに十分な大きさ以上の交流波形のパルスを印加した上で、パルスの最終波形を狙っている極性・大きさの電圧とすることが好ましい。これは、本実施形態の他の表示状態への駆動の場合は勿論のこと、広く電気泳動方式の画像表示媒体を駆動する際に同様である。
【００６３】
（白色表示）
まず、共通電極２４側が負で画素電極１４側が正になるようにソースドライバＩＣ６を制御してソース電圧を一括してＴＦＴ１２に印加し、ゲートドライバＩＣ８で走査してゲート電圧を印加し、全画素のＴＦＴ１２をＯＮ状態にする。このとき各画素に印加される駆動電圧は、大径白色粒子２２Ｗを表示基板１８に、黒色粒子２０Ｋを背面基板１６に、それぞれ移動させるのに十分な大きさとする。すると、それよりも小さな電圧で移動する赤色粒子２０Ｒも表示基板１８に移動する。
【００６４】
これにより、図４に示すように、赤色粒子２０Ｒおよび大径白色粒子２２Ｗが表示基板１８側に全面吸着し、黒色粒子２０Ｋが背面基板１６側に吸着している状態になる。この状態では、表示面側（表示基板１８の側）から見たとき赤色粒子２０Ｒによる赤色と大径白色粒子２２Ｗによる白色とが混ざった色表示になる。ここで図４は、図１に示される画像表示媒体の全面白色表示に至るまでの過渡状態である赤白混色状態における模式断面図である。
【００６５】
さらに今度は、共通電極２４側が正で画素電極１４側が負になるようにソースドライバＩＣ６を制御してソース電圧を一括してＴＦＴ１２に印加し、ゲートドライバＩＣ８で走査してゲート電圧を印加し、全画素のＴＦＴ１２をＯＮ状態にする。このとき各画素に印加される駆動電圧は、赤色粒子２０Ｒを背面基板１６に移動させるのに十分であり、かつ、黒色粒子２０Ｋを表示基板１８に移動させることはできない大きさとする。すると、移動のための絶対値電圧がそれよりも大きい大径白色粒子２２Ｗも表示基板１８から背面基板１６に移動することができない。
【００６６】
これにより、図５に示すように、大径白色粒子２２Ｗが表示基板１８側に全面吸着し、他の粒子が背面基板１６側に吸着している状態になって、表示面側（表示基板１８の側）から見たとき大径白色粒子２２Ｗによる全面白色表示になる。ここで図５は、図１に示される画像表示媒体の全面白色表示における模式断面図である。
【００６７】
（黒色表示）
黒色表示は、初期化状態と同じであるため、全面黒表示を得るためには特に駆動をさせなければよい。
【００６８】
実際の画像の書き込みの際には、上記赤色表示を得るための書き込みの際にも、上記白色表示を得るための書き込みの際にも、ゲートドライバＩＣ８での走査で対象箇所の画素のＴＦＴ１２をＯＦＦ状態にする。すると当該箇所の画素は初期化状態のまま、黒色粒子２０Ｋによる黒色表示になっている。
【００６９】
（混色表示画像の書き込み）
以上説明した赤色表示、白色表示および黒色表示の各動作を画素ごとに制御することで、所望の混色表示画像を画像表示媒体２に書き込むことができる。
【００７０】
具体的には、まず、上記赤色表示を得るための書き込みを行い、ゲートドライバＩＣ８での走査で赤色表示を望む画素のみＴＦＴ１２をＯＮ状態にする。次に、上記白色表示を得るための書き込みを行い、２度のソース電圧印加時に、ゲートドライバＩＣ８での走査で白色表示を望む画素のみＴＦＴ１２をＯＮ状態にする。
【００７１】
以上の３回の走査操作（赤色１回、白色２回）により、赤色表示を望む画素が赤色に変わり、白色表示を望む画素が白色に変わり、赤白いずれの駆動の際もＴＦＴ１２をＯＦＦ状態とし、初期化状態のままの黒色表示を望む画素は黒色表示となり、赤白黒３色の混色表示画像の書き込まれる。
【００７２】
図６は、以上のようにして混色表示画像が書き込まれた状態の画像表示媒体の模式断面図であり、図面上５つの画素が、左から順に、赤黒赤黒白の各色表示になった様子が表されている。
【００７３】
＜画像表示媒体の初期化時の駆動＞
次に、本発明に特徴的な画像表示媒体の初期化時の駆動について説明する。
【００７４】
以下の説明においては、既述の本実施形態の画像表示装置を用いて、いくつかの好ましい態様の制御を例示して説明する。これら態様をそれぞれ第１〜第５の実施形態とする。
【００７５】
（第１の実施形態）
図７は、第１の実施形態におけるソースドライバＩＣ６およびゲートドライバＩＣ８のシーケンス制御を模式的に表すチャートである。本実施形態においては、当該チャートに従って、制御装置１０によってソースドライバＩＣ６およびゲートドライバＩＣ８が制御される。
【００７６】
一方、図８は、本発明の構成を具備しないソースドライバＩＣ６およびゲートドライバＩＣ８のシーケンス制御を模式的に表すチャートである。本発明の構成を具備しない場合には、当該チャートに従って、制御装置１０によってソースドライバＩＣ６およびゲートドライバＩＣ８が制御されていた。
【００７７】
図８に示す初期化の際のシーケンス制御では、画像の書き込み時と同様の操作で全面単色の均一画像を形成していた。すなわち、ソースドライバＩＣ６から所定のパルス電圧（ソース電圧）をＴＦＴ１２に印加した状態で、ゲートドライバＩＣ８で走査して各画素を順次ＯＮ状態にして、ソース電圧を駆動電圧として印加していた。画像表示媒体は画素数が多いため、全画素を走査すれば多くの時間を要する。
【００７８】
また、全画素を走査する際、交番電圧となるパルス電圧を印加するために、各パルスのごく一部のみゲートをＯＮ状態にしてこれをパルスごとに繰り返すことが一般的に行われていたが、走査して画素ごとにゲート電圧を印加する方法では、図９の斜線部に示すように各パルスのごく一部の時間のみしか電圧印加していない状態になる。特に、オフィス用途の電子ペーパでは走査線が数千本にもなるため、初期化（リセット）電圧を印加できる画素単位の時間が極端に短くなる。ここで図９は、走査して画素ごとにゲート電圧を印加する初期化方法における各画素への電圧印加時間を説明するための電圧推移示すグラフである。
【００７９】
非走査時において、保持電荷による電界形成のため、画素ごとに誘電率に起因するキャパシタンスが異なるとともに、ＴＦＴでの電荷移動度も異なる。また、配線抵抗も各画素異なるため、電圧の印加時間が十分で無いと、印加される電荷量が異なることになり、画素に加わる電圧が異なる。したがって、全画素に十分な初期化電圧を確保するためには、ある程度電圧の印加時間をかけることが望まれる。
【００８０】
また、本発明が対象とする電気泳動方式の画像表示媒体では、移動する粒子の応答性が例えば液晶に比べると遅いため、初期化するのに要する電界の強度が液晶方式の画像表示媒体に比べて大きい。
【００８１】
本発明の構成による本実施形態では、図８に示すように、ソースドライバＩＣ６によるパルス電圧は図９に示す例と同様であるが、ゲートドライバＩＣ８では走査をすることなく、全画素一括してゲート電圧を印加して全画素同時にＯＮ状態とする。このため、図１０に示すように、全てのリセット（初期化）時間において各画素に初期化電圧を印加することができ、各画素を走査する方法に比べて、必要な印加時間を確保しつつリセット時間を短縮することができる。また、長い印加時間を確保できることから、各画素に対して多くの初期化電圧を印加することができ、より全面均質な初期化画像を得ることが容易になる。ここで図１０は、本実施形態における各画素への電圧印加時間を説明するための電圧推移を示すグラフである。
【００８２】
画像表示媒体の初期化から画像書き込みまでの電圧印加のシーケンスについて説明する。
【００８３】
画像の書き込みの際には、既述のとおりゲートドライバＩＣ８により走査を行い各画素ごとにデート電圧でＯＮ／ＯＦＦ制御を行うが、当該画像書き込みの制御に先立ち、全画素一括してゲート電圧を印加する初期化の制御が為されるように、制御装置１０のシーケンスが設計されていることが望ましい。例えば、ゲートドライバＩＣ８への画像書き込みの信号における先頭行に、全画素一括してゲート電圧を印加する初期化の制御が為されるようにロジックを組んでおく。
【００８４】
図１１に、画像表示媒体の画像書き換え時（初期化から画像書き込みまで）の電圧印加の動作の一例をフロー図にて示す。また、図１１に示す電圧印加の動作のフロー図による電圧印加のシーケンスを図１２に示す。画像の書き換えの指示が制御装置１０に入力されるとシーケンスが開始して、まず初期化の動作が為される。初期化の動作は、既述のとおりである。初期化の動作におけるパルス電圧によって、全ての移動粒子を表示基板１８および背面基板１６間で交互に移動させて、画像の履歴を消去する。そして、所定の初期化表示の全面単色の一様な表示画像とした上で、次工程に移る。
【００８５】
次工程の画像書き込みの動作では、画像書き込みのための駆動電圧が表示層３０に印加されるように、ソース電圧を適切に制御して印加しながらゲート電圧を走査して画素ごとに順次ＯＮ／ＯＦＦ制御する。この走査の操作は、移動粒子の数などにより異なり、本実施形態では既述のとおり３回である。画像書き込みの動作により、画素ごとにスイッチングして、所望の基板側に移動粒子を吸着させ表示画像を得る。なお、図１２においては、この画像書き込みの動作は、走査ごとに、また画素ごとに異なるため、単なる矩形の図形にて示しているが、勿論、各画素ごとに所望の波形の電圧が駆動電圧として印加される。
【００８６】
画像書き込みの動作で、ゲート電圧の走査が全画素為され（複数回走査する場合にはその全ての走査が行われ）、画像書き換えのシーケンスが終了する。
以上のようにして、表示画像の書き換えが行われる。
【００８７】
以上は、本実施形態におけるシーケンスとして説明したが、特にこれに限定されず、以降の各実施例においても同様のシーケンスとすることができる。
【００８８】
（第２の実施形態）
図１３は、第２の実施形態におけるソースドライバＩＣ６およびゲートドライバＩＣ８のシーケンス制御を模式的に表すチャートである。本実施形態においては、当該チャートに従って、制御装置１０によってソースドライバＩＣ６およびゲートドライバＩＣ８が制御される。
【００８９】
本実施形態では、図１３に示すように、図１０に示す第１の実施形態の場合と同様、ゲートドライバＩＣ８で全画素一括してゲート電圧を印加して全画素同時にＯＮ状態とする。このため、第１の実施形態と同様の効果、すなわち、全てのリセット（初期化）時間において各画素に初期化電圧を印加することができ、各画素を走査する方法に比べて、必要な印加時間を確保しつつリセット時間を短縮することができ、また、長い印加時間を確保できることから、各画素に対して多くの初期化電圧を印加することができ、より全面均質な初期化画像を得ることが容易になる点は、同様である。
【００９０】
本実施形態では、ソースドライバＩＣ６によるパルス電圧（ソース電圧）が、第１の実施形態の場合と異なり、隣り合う画素間で位相が反転状態になるように制御される。
【００９１】
初期化の動作が為されている間、画像表示媒体２の表示面（表示基板１８側の面）は、正負逆転するパルス電圧に由来する色の異なる全面単色画像が交互に表示されこれが素早く繰り返されるため、いわゆるフリッカ（ちらつき）が生じる。
【００９２】
本実施形態では、隣り合う画素間でソース電圧の位相が反転状態になるように制御されているため、表示画像は、正負両電圧由来の表示画像の中間色になる。本実施形態では、黒色粒子２０Ｋによる全面黒色表示と赤色粒子２０Ｒによる赤色および大径白色粒子２２Ｗによる白色が混ざった色表示との間の中間色になり、やや濃い目のグレー色になる。そしてこのグレー色表示が続くため、本実施形態では、初期化の動作中においてもフリッカが解消乃至抑制される。
【００９３】
なお、フリッカの解消乃至抑制効果が現れるのは、本実施形態のように隣り合う画素間で位相が反転状態である必要は必ずしも無い。位相がある程度ずれてさえいれば、完全に反転画像が全面交互に表示される位相がずれていない状態に比べてフリッカが抑制される。
【００９４】
また、位相が反転状態乃至ずれた状態となる画素は、必ずしも隣り合う画素間である必要は無く、これら画素が規則的かランダムかを問わず混在さえしていれば、フリッカは解消乃至抑制される。混在の程度によりフリッカの解消乃至抑制効果も変動するが、画素が２色の何れかが選択された状態で静止して表示された際に、その中間色で全面均質に視覚される程度の混在の程度とすることが好ましい。
【００９５】
さらに、反転させる画素画素の割合も、本実施形態では半分ずつであるが、６：４や７：３等一方に偏った割合であっても、完全に反転画像が全面交互に表示される位相がずれていない状態に比べてフリッカが抑制される。
【００９６】
これら変動要因（位相の異なる画素の配置、割合）のいずれについても、その変動によってもなお、完全に反転画像が全面交互に表示される位相がずれていない状態に比べてフリッカが抑制される効果が発現するのであれば、それは、本発明において「混在」の概念に含まれるものとする。当該概念は、ソース電圧の位相を２つに分けてずらして印加する本実施形態のみならず、３つ以上に位相をずらす場合（第３の実施形態における４つの位相等）にも同様である。
【００９７】
なお、本実施形態の構成では、さらにソース電圧の急峻な立ち上がりに由来する電流値の瞬間的な上昇を抑制する効果も奏されるが、これについては第５の実施形態において詳述する。
【００９８】
（第３の実施形態）
図１４は、第３の実施形態におけるソースドライバＩＣ６およびゲートドライバＩＣ８のシーケンス制御を模式的に表すチャートである。本実施形態においては、当該チャートに従って、制御装置１０によってソースドライバＩＣ６およびゲートドライバＩＣ８が制御される。
【００９９】
本実施形態では、図１４に示すように、図１０に示す第１の実施形態や図１３に示す第２の実施形態の場合と同様、ゲートドライバＩＣ８で全画素一括してゲート電圧を印加して全画素同時にＯＮ状態とする。このため、第１の実施形態と同様の効果、すなわち、全てのリセット（初期化）時間において各画素に初期化電圧を印加することができ、各画素を走査する方法に比べて、必要な印加時間を確保しつつリセット時間を短縮することができ、また、長い印加時間を確保できることから、各画素に対して多くの初期化電圧を印加することができ、より全面均質な初期化画像を得ることが容易になる点は、同様である。
【０１００】
本実施形態では、ソースドライバＩＣ６によるパルス電圧（ソース電圧）が、第１の実施形態や第２の実施形態の場合と異なり、隣り合う画素間で位相が９０°ずれた状態になるように制御される。
【０１０１】
白黒２色画像の場合などは、第２の実施形態のように隣り合う画素間で位相を反転させれば、白黒表示間の中間色であるグレー色となるが、本実施形態のように赤白黒の３色の場合等、複数種類の粒子群からなる移動粒子を用いた場合には、位相を反転させただけではグレー色にならない。
【０１０２】
本実施形態では、基板からの離脱に要する力が赤色粒子２０Ｒ、黒色粒子２０Ｋおよび大径白色粒子２２Ｗの相互間で異なるため、それらの移動に要する時間が異なる。例えば、図４に示す赤白混色表示状態から印加電圧の極性が反転して図２に示す黒色表示状態になるまでの間の過渡状態として、赤色粒子２０Ｒのみが背面基板１６に引き寄せられる図５の状態を経由する。
【０１０３】
このように、各移動粒子間で移動速度に差があるため、第２の実施形態のように位相を反転させただけでは、勿論程度は大幅に改善されるものの過渡色に由来するフリッカが生じてしまう。本実施形態では、隣り合う画素間でソース電圧の位相を９０°ずつずらしている。そのため本実施形態によれば、過渡色をも含む混色状態にして、より一層グレーな色相にして、フリッカをより高い次元で抑制することができる。
【０１０４】
本発明において、位相のずれた画素群同士は必ずしも９０°ずつずらす必要は無く、例えば３６０°の約数にしていくつかの画素ごとに周期的になる配列としてもよいし、任意の角度、ランダムな周期で配列しても構わない。配列の仕方については、既述の「混在」の概念が当てはまる。
【０１０５】
なお、本実施形態の構成では、さらにソース電圧の急峻な立ち上がりに由来する電流値の瞬間的な上昇を抑制する効果も奏されるが、これについては第５の実施形態において詳述する。
【０１０６】
（第４の実施形態）
図１５は、第４の実施形態におけるソースドライバＩＣ６およびゲートドライバＩＣ８のシーケンス制御を模式的に表すチャートである。本実施形態においては、当該チャートに従って、制御装置１０によってソースドライバＩＣ６およびゲートドライバＩＣ８が制御される。
【０１０７】
本実施形態では、図１５に示すように、図１０に示す第１の実施形態の場合と同様、ゲートドライバＩＣ８で全画素一括してゲート電圧を印加して全画素同時にＯＮ状態とする。このため、第１の実施形態と同様の効果、すなわち、全てのリセット（初期化）時間において各画素に初期化電圧を印加することができ、各画素を走査する方法に比べて、必要な印加時間を確保しつつリセット時間を短縮することができ、また、長い印加時間を確保できることから、各画素に対して多くの初期化電圧を印加することができ、より全面均質な初期化画像を得ることが容易になる点は、同様である。
【０１０８】
本実施形態では、ソースドライバＩＣ６によるパルス電圧（ソース電圧）の波形が、第１の実施形態の場合と異なり、各パルスの立ち上がりに勾配を持たせた形状となるように、すなわち印加電圧が徐々に上昇するように制御される。
【０１０９】
図１６は、本実施形態におけるソース電圧のパルス波形と、パルス幅が同じいわゆる矩形波のパルス波形とを同じ時間軸（横軸）で表したグラフである。図１６からわかるように、各パルスの立ち上がりが、いわゆる矩形波の場合に比べて本実施形態では緩やかに立ち上がっていることがわかる。
【０１１０】
図１７は、これらパルス波形の各画素間に流れる電流の推移を図１６と同じ時間軸（横軸）で表したグラフである。いわゆる矩形波の場合、各パルスにおける電圧の急峻な立ち上がりによって電流値が急激に増加しているのがわかる。全画素に一括してソース電圧が印加されるようにゲートドライバＩＣ８でスイッチングする本発明の構成では、このパルスの立ち上がりにおける電流値増加が全画素で同時に起こる（パルスの位相をずらした場合を除く。）ため、瞬間的に大きな電流が一度に流れることになる。そのため、それを可能とするだけの容量を有する電源装置や大電流に耐え得るだけの各ドライバＩＣその他の電気部品を用意する必要がある。
【０１１１】
本実施形態では、各パルスにおける電圧の急峻な立ち上がりを抑えて緩やかに立ち上がるように制御している。この場合、図１７に示すように瞬間的な電流値の増加が抑制され、最大電流値を低く抑えることができる。そのため、本実施形態によれば、電源装置の低容量化や、大電流に対する耐性の低い各ドライバＩＣその他の電気部品の選択を可能とし、設計の自由度を高めることができるとともに、画像表示媒体乃至画像表示装置の小型化や低コスト化に資することができる。
【０１１２】
図１６に示される如き本実施形態のパルス波形を形成するには、電源装置（不図示）の出力部分にバッファ回路を接続して、出力信号を少し遅延させる方法や、タイミング調整回路を追加して積極的にパルス波形を制御してやればよい。
【０１１３】
（第５の実施形態）
図１８は、第５の実施形態におけるソースドライバＩＣ６およびゲートドライバＩＣ８のシーケンス制御を模式的に表すチャートである。本実施形態においては、当該チャートに従って、制御装置１０によってソースドライバＩＣ６およびゲートドライバＩＣ８が制御される。
【０１１４】
本実施形態では、図１８に示すように、図１０に示す第１の実施形態の場合と同様、ゲートドライバＩＣ８で全画素一括してゲート電圧を印加して全画素同時にＯＮ状態とする。このため、第１の実施形態と同様の効果、すなわち、全てのリセット（初期化）時間において各画素に初期化電圧を印加することができ、各画素を走査する方法に比べて、必要な印加時間を確保しつつリセット時間を短縮することができ、また、長い印加時間を確保できることから、各画素に対して多くの初期化電圧を印加することができ、より全面均質な初期化画像を得ることが容易になる点は、同様である。
【０１１５】
本実施形態では、全体の画素数を半分に分けて２つの画素群とし、画素群同士でソースドライバＩＣ６によるパルス電圧（ソース電圧）の位相をずらして印加するように制御される。
【０１１６】
第４の実施形態で図１６および図１７を用いて説明したように、いわゆる矩形波では、各パルスにおける電圧の急峻な立ち上がりによって電流値が急激に増加するので、全画素に一括してソース電圧が印加されるようにゲートドライバＩＣ８でスイッチングする本発明の構成では、このパルスの立ち上がりにおける電流値増加が全画素で同時に起こるため、瞬間的に大きな電流が一度に流れることになる。そこで本実施形態では、全画素の半分ずつソース電圧の位相をずらして印加することで、瞬間的に流れる電流のピークを２回に分け、最大電流値を半減させている。そのため、本実施形態によれば、電源装置の低容量化や、大電流に対する耐性の低い各ドライバＩＣその他の電気部品の選択を可能とし、設計の自由度を高めることができるとともに、画像表示媒体乃至画像表示装置の小型化や低コスト化に資することができる。
【０１１７】
本発明において、本実施形態と同様乃至それ以上の効果を得ようとする場合には、全体の画素数を半分に分けて２つの画素群とすることに限定する必要は無く、３つ以上の画素群に分けて、それら相互間でソース電圧の位相をずらしてやればよい。画素群の数が増すほど最大電流値を低減する効果が高くなる反面、制御が複雑になるため、所望とする効果と制御の容易性の観点から適切な程度に分割すればよい。
【０１１８】
画素群相互のソース電圧の位相のずれの程度としては、少しでも位相がずれてさえいれば最大電流値の低減効果が奏されるが、電流値のピークが十分に低下してから次の画素群のパルスの電圧の立ち上がりが開始するタイミングとすることが好ましい。勿論、第２の実施形態のように２つの画素群の位相を反転、すなわち１８０°ずらしたり、第３の実施形態のように４つの画素群の位相を９０°ずらしたりする態様も、本実施形態と同様乃至それ以上の最大電流値抑制効果が奏される。
【０１１９】
なお、本実施形態固有の最大電流値抑制効果は、画素全体をいくつかの画素群に分けて、該画素群相互の間でソース電圧の位相をずらせば奏される効果であり、画素の配置に依存するフリッカ抑制効果とは異なる。そのため、これら画素群は、混在していても構わないし、特定の領域ごとに分かれて配置していても構わない。勿論、これら画素群を混在して配置することが、最大電流値抑制効果とともにフリッカ抑制効果が奏される点で好ましい。
【０１２０】
以上、図１および図２に示す画像表示装置を例に挙げ、本発明の好ましい態様を詳細に説明したが、本発明はこれら態様に限定されるものではなく、当業者は公知の知見に従って本発明を適宜改変することができる。かかる改変によってもなお、本発明の構成を具備する限り、勿論当該構成は本発明の範疇に含まれるものである。
【０１２１】
例えば、画像表示媒体として、移動粒子が赤白黒の３色の粒子を用いた物を例に挙げているが、勿論かかる構成に限定されるものではなく、移動粒子が１種類だけの物から白黒等２種類の物、さらには、イエロー、マゼンタおよびシアンの３種類でフルカラー画像を形成し得る物、その他移動しない着色粒子をさらに封入／配置した物等、電気泳動方式であればいかなる画像表示媒体に対しても本発明は適用することができる。その意味で、表示層の部分が、分散媒に移動粒子を分散したマイクロカプセルが配列して構成されていても問題なく本発明を適用することができる。
【０１２２】
本発明の効果を奏するには、上記本発明の構成を備えた画像表示媒体の駆動装置乃至画像表示装置を、上記＜画像表示媒体の初期化時の駆動＞の項で説明した駆動を為すようにすればよいが、その制御を司る制御手段にコンピュータを用い、本発明の画像表示媒体の初期化プログラム（以下、単に「本発明の初期化プログラム」という場合がある。）を搭載することで実現することができる。
【０１２３】
以下、図１９のブロック図を用いて本発明の初期化プログラムについて説明する。）。ここで、図１９は、本発明の画像表示媒体の初期化プログラムを説明するためのブロック図である。
【０１２４】
本発明の初期化プログラムにおいては、まず、コンピュータ（制御手段）４０からソースドライバＩＣ（第１電圧印加手段）６に対して手順１の制御信号が送られ、当該制御信号に従って、ソースドライバＩＣ６が画像表示媒体２の全画素のＴＦＴ１２にソース電圧を一括して印加する。
【０１２５】
次いで、コンピュータ４０からゲートドライバＩＣ８に対して手順２の制御信号が送られ、当該制御信号に従って、ゲートドライバＩＣ８が画像表示媒体２の全画素のＴＦＴ１２にゲート電圧を一括して印加する。
【０１２６】
画像表示媒体２の初期化のために十分な時間、ソース電圧およびゲート電圧がＴＦＴ１２に印加された後、コンピュータ４０からソースドライバＩＣ６およびゲートドライバＩＣ８に対して電圧印加解除の制御信号を送り（不図示）、初期化の操作が終了する。
【０１２７】
本発明の初期化プログラムは、上記の手順をコンピュータに実行させるものである。なお、手順１と手順２は、この順番で実行されても構わないし、実質的に同時に実行されても構わないし、さらには逆の順番であっても構わない。手順１による前記ソース電圧の印加と手順２による前記ゲート電圧の印加とが同時に為されて、初期化画像が形成されるために必要な電圧が表示層３０に印加されるように制御されていれば問題ない。
【０１２８】
本発明の初期化プログラムは、手順１や手順２を、前記第２の実施形態〜第５の実施形態において説明した制御を伴う信号にすることができる。前記第２の実施形態〜第５の実施形態においてそれぞれ説明した制御を伴う手順１および／または手順２にて実行することで、前記第２の実施形態〜第５の実施形態においてそれぞれ説明した本発明に好適な初期化の駆動を実現することができる。
【図面の簡単な説明】
【０１２９】
【図１】本発明の画像表示媒体の駆動装置を含む本発明の例示的一態様である実施形態の画像表示装置の概略構成図である。
【図２】図１に示される画像表示媒体の初期化状態（全面黒色表示）における模式断面図である。
【図３】図１に示される画像表示媒体の全面赤色表示における模式断面図である。
【図４】図１に示される画像表示媒体の全面白色表示に至るまでの過渡状態である赤白混色状態における模式断面図である。
【図５】図１に示される画像表示媒体の全面白色表示における模式断面図である。
【図６】混色表示画像が書き込まれた状態の画像表示媒体の模式断面図である。
【図７】第１の実施形態におけるソースドライバＩＣおよびゲートドライバＩＣのシーケンス制御を模式的に表すチャートである。
【図８】本発明の構成を具備しないソースドライバＩＣおよびゲートドライバＩＣのシーケンス制御を模式的に表すチャートである。
【図９】走査して画素ごとにゲート電圧を印加する初期化方法における各画素への電圧印加時間を説明するための電圧推移グラフである。
【図１０】第１の実施形態の場合における各画素への電圧印加時間を説明するための電圧推移を示すグラフである。
【図１１】画像表示媒体の画像書き換え時（初期化から画像書き込みまで）の電圧印加の動作の一例を示すフロー図である。
【図１２】図１１に示す電圧印加の動作のフロー図による電圧印加のシーケンスを示すグラフである。
【図１３】第２の実施形態におけるソースドライバＩＣ（第１電圧印加手段）およびゲートドライバＩＣ（第２電圧印加手段）のシーケンス制御を模式的に表すチャートである。
【図１４】第３の実施形態におけるソースドライバＩＣ（第１電圧印加手段）およびゲートドライバＩＣ（第２電圧印加手段）のシーケンス制御を模式的に表すチャートである。
【図１５】第４の実施形態におけるソースドライバＩＣ（第１電圧印加手段）およびゲートドライバＩＣ（第２電圧印加手段）のシーケンス制御を模式的に表すチャートである。
【図１６】第４の実施形態におけるソース電圧のパルス波形と、パルス幅が同じいわゆる矩形波のパルス波形とを同じ時間軸（横軸）で表したグラフである。
【図１７】図１６に示す両パルス波形の各画素間に流れる電流の推移を図１６と同じ時間軸（横軸）で表したグラフである。
【図１８】第５の実施形態におけるソース電圧のパルス波形と、パルス幅が同じいわゆる矩形波のパルス波形とを同じ時間軸（横軸）で表したグラフである。
【図１９】本発明の画像表示媒体の初期化プログラムを説明するためのブロック図である。
【符号の説明】
【０１３０】
２：画像表示媒体、  ４：駆動装置（画像表示媒体の駆動装置）、  ６：ソースドライバＩＣ（第１電圧印加手段）、  ８：ゲートドライバＩＣ（第２電圧印加手段）、  １０：制御装置（制御手段）、  １２：ＴＦＴ（薄膜トランジスタ）、  １４：画素電極、  １６：背面基板、  １８：表示基板、  ２０Ｋ：黒色粒子（移動粒子）、  ２０Ｒ：赤色粒子（移動粒子）、  ２２Ｗ：大径白色粒子（移動粒子）、  ２４：共通電極、  ２６：分散液、  ２８：スペーサー、  ３０：表示層、  ３０：コンピュータ（制御手段）
【図１】
2010078902.tif 000003
【図２】
2010078902.tif 000004
【図３】
2010078902.tif 000005
【図４】
2010078902.tif 000006
【図５】
2010078902.tif 000007
【図６】
2010078902.tif 000008
【図７】
2010078902.tif 000009
【図８】
2010078902.tif 000010
【図９】
2010078902.tif 000011
【図１０】
2010078902.tif 000012
【図１１】
2010078902.tif 000013
【図１２】
2010078902.tif 000014
【図１３】
2010078902.tif 000015
【図１４】
2010078902.tif 000016
【図１５】
2010078902.tif 000017
【図１６】
2010078902.tif 000018
【図１７】
2010078902.tif 000019
【図１８】
2010078902.tif 000020
【図１９】
2010078902.tif 000021